(57)【特許請求の範囲】
【請求項１】
足首より下に対応するフット部と、
足首より上に対応するシャフト部と、
互いに隣接する一対の環状部分を有する留め具と、
前記留め具を前記シャフト部の一部に固定するための取付け具と
を備え、
前記留め具は、前記一対の環状部分を８の字状に配置した本体部分と、前記一対の環状部分の接続部分から前記一対の環状部分に沿ってそれぞれ外側に延びる一対のクリップ部とを有することを特徴とするブーツ。
【請求項２】
前記留め具は、前記本体部分を支持する前側支持部材と、前記シャフト部側に取り付けられて前記前側部材との間に通し空間を設けて前記前側部材を支持する後側支持部材とを有することを特徴とする請求項１に記載のブーツ。
【請求項３】
前記取付け具は、前記留め具を前記シャフト部の外周の一部に着脱可能に固定するファスナーであることを特徴とする請求項１及び２のいずれか一項に記載のブーツ。
【請求項４】
前記ファスナーは、前記シャフト部の所定位置に固定された第１の面ファスナー部と、前記留め具側に固定された第２の面ファスナー部と有することを特徴とする請求項３に記載のブーツ。
【請求項５】
前記取付け具は、前記シャフト部に両端が固定されて前記本体部分を通す帯状の保持部材を有する請求項２に記載のブーツ。
【請求項６】
前記シャフト部において、前記留め具の周辺に形成される複数のベルト通しをさらに備えることを特徴とする請求項１から請求項５までのいずれか一項に記載のブーツ。
【発明の詳細な説明】
【技術分野】
【０００１】
本発明は、装飾品を着脱可能にしたブーツに関し、特に装飾品を着脱自在にする留め具を備えるブーツに関する。
【背景技術】
【０００２】
従来のブーツとして、足首部に飾り体を装着するものであって、飾り体が、足首部に巻き付けられる帯状片と、帯状片に取り付けられる飾り部と、帯状片の端部を着脱可能に係合するファスナーとを備えるものが存在する（特許文献１参照）。
【０００３】
また、別のブーツとして、ブーツを開閉するファスナーのスライダーに解除可能に連結される連結フックと、この連結フックに連結されブーツ部の外周長さよりも長い環状の装飾機機能を有する鎖体と、この鎖体に取り付けられた装飾品とを備えるものが存在する（特許文献２参照）。
【０００４】
シューズ・アクセサリー金具として、アクセサリーを支持する飾り受金具と、飾り受金具を支持する取付金具本体とを有し、この取付金具本体において、弾性変形する心材と、靴を押さえる部分に滑り止め突起半球とを備えるものが存在する（特許文献３参照）。
【先行技術文献】
【特許文献】
【０００５】
【特許文献１】実用新案登録第３１４５５４３号公報
【特許文献２】実用新案登録第３０９４６７８号公報
【特許文献３】実用新案登録第３０２２８１２号公報
【発明の概要】
【発明が解決しようとする課題】
【０００６】
しかしながら、特許文献１のブーツは、飾り部と帯状片とがセットになっており、ブーツに対してユーザーの好みの装飾品を即興的に装着することができない。具体的には、例えばスカーフとアンサンブルのリボンをブーツに対して好みの形態で結びつけるといった装いができない。
【０００７】
また、特許文献２のブーツも、装飾品と鎖体とがセットになっており、ブーツに好みの装飾品を即興的に装着することができない。つまり、上述のようにスカーフとアンサンブルのリボンをブーツに対して好みの形態で結びつけるといった装いができない。
【０００８】
さらに、特許文献３のシューズ・アクセサリー金具も、アクセサリーと取付金具本体とが一体化されており、ブーツに好みの装飾品を即興的に装着することができない。また、このシューズ・アクセサリー金具は、靴の甲部分等の縁部分に取り付けるものであり、装着態様が極めて制限されたものとなる。
【０００９】
そこで、本発明は、リボン等の好みの装飾品を即興的に自由に装着することができるブーツを提供することを目的とする。
【課題を解決するための手段】
【００１０】
上記課題を解決するため、本発明に係るブーツは、足首より下に対応するフット部と、足首より上に対応するシャフト部と、互いに隣接する一対の環状部分を有する留め具と、上記留め具をシャフト部の一部に固定するための取付け具とを備え、留め具が、一対の環状部分を８の字状に配置した本体部分と、一対の環状部分の接続部分から一対の環状部分に沿ってそれぞれ外側に延びる一対のクリップ部とを有する。
【００１１】
上記ブーツでは、取付け具によってシャフト部の一部に留め具を固定しているので、この留め具を構成する一対の環状部分に帯状の装飾品を通して結ぶことでこれを保持することができる。つまり、例えばリボン等である様々な種類の装飾品又は飾りを、シャフト部の周辺に好みの形態で交換可能に飾り付けることができる。これにより、ブーツの多様な履きこなしが可能になり、服装や外出場所等の状況に応じた個性的な装飾品を設定することができる。特に、外出場所、会合相手、気分等を反映して着用するスカーフやマフラー等に対して、アンサンブルのデザインとなっているリボンをブーツに好みの結び方等の形態で装着するといった装いが可能になる。
また、クリップ部にリボン等の端の部分を留めることで、装飾品を小さく収納することができ、歩行性を重視した着こなし等を可能にする。
【００１３】
本発明の別の側面では、留め具が、本体部を支持する前側支持部材と、シャフト部側に取り付けられて前側部材との間に通し空間を設けて前側部材を支持する後側支持部材とを有する。この場合、リボンの結び目等の要部の裏側に配置される通し空間にその他の一部を通すことができ、リボン等の装飾品の取付けや巻き付けの自由度を高めることができる。
【００１４】
本発明のさらに別の側面では、取付け具が、留め具をシャフト部の外周の一部に着脱可能に固定するファスナーである。この場合、留め具等を着脱可能にでき、装飾品を取り付けないで着用する場合のシャフト部をすっきりしたデザインにすることができる。なお、ファスナーが留め具の姿勢を左右に傾けるように修正できるものである場合、留め具に支持される飾りの姿勢を留め具側で適宜調整することができるようになる。
【００１５】
本発明のさらに別の側面では、ファスナーが、シャフト部の所定位置に固定された第１の面ファスナー部と、留め具側に固定された第２の面ファスナー部と有する。この場合、取付け具の構造を簡易にすることができ、留め具の着脱が簡易になる。
【００１６】
本発明のさらに別の側面では、取付け具が、シャフト部に両端が固定されて本体部分を通す帯状の保持部材を有する。この場合、留め具等を簡易に着脱可能にでき、装飾品を取り付けない場合のシャフト部をすっきりしたデザインにすることができる。
【００１７】
本発明のさらに別の側面では、シャフト部において、留め具の周辺に形成される複数のベルト通しをさらに備える。この場合、ベルト通しを補助的に利用してリボン等である様々な種類の装飾品を取り付けることができる。
【００１８】
なお、ブーツのシャフト部に光透過性の立体的な基材と、基材の裏面に形成された反射体とを一体化した装飾部を埋め込むこともできる。
【図面の簡単な説明】
【００１９】
【図１】（Ａ）は、第１実施形態に係るブーツの正面図である。（Ｂ）は、ブーツに装飾品としてリボンを取り付けた状態の図である。（Ｃ）は、ブーツから留め具を取り外した状態の図であり、（Ｄ）は、ブーツの側面図である。
【図２】（Ａ）〜（Ｄ）は、留め具の上面図、正面図、側面図及び背面図である。
【図３】（Ａ）は、リボンの装着方法の一例を説明するための一部拡大正面図であり、（Ｂ）は、リボンの装着方法の別の一例を説明するための一部拡大正面図である。
【図４】リボンの装着方法のさらに別の一例を説明するための一部拡大側面図である。
【図５】（Ａ）〜（Ｃ）は、留め具のその他の例を説明するための正面図である。
【図６】第２実施形態に係るブーツに用いる留め具の一例を説明するための正面図である。
【図７】（Ａ）、（Ｂ）は、第３実施形態に係るブーツに用いる留め具の一例を説明するための上面図及び正面図である。
【図８】第４実施形態に係るブーツに用いる留め具の一例を説明するための正面図である。
【図９】（Ａ）は、第５実施形態に係るブーツの正面図であり、（Ｂ）、（Ｃ）は、留め具を説明するための正面図及び背面図である。
【図１０】（Ａ）は、第６実施形態に係るブーツの正面図であり、（Ｂ）〜（Ｄ）は、ブーツの使用例を説明する部分的な正面図である。
【図１１】（Ａ）、（Ｂ）は、第７実施形態に係るブーツの正面図及び側面図であり、（Ｃ）は、ブーツの一部を拡大した図面であり、（Ｄ）は、ブーツの使用例を説明するための正面図である。
【図１２】留め具の変形例を説明するための正面図である。
【発明を実施するための形態】
【００２０】
〔第１実施形態〕
以下、図１（Ａ）〜１（Ｄ）等を参照して、第１実施形態に係るブーツについて説明する。
【００２１】
図１（Ａ）〜１（Ｄ）に示すブーツ５０は、フット部１と、シャフト部２と、留め具２０と、取付け具３とを備える。
【００２２】
ブーツ５０のうち、フット部１とシャフト部２とは、ブーツ５０の全体的な外観を構成するものである。これらのうち、前者のフット部１は、足首より下に対応する部分であり、フット部本体１ａと、底部１ｂと、ヒール部１ｃとを有する。後者のシャフト部２は、足首より上に対応する筒状の部分であり、シャフト部本体２ａと、その外周の上方側の所定の高さ位置に設けられた複数のベルト通し２ｂとを有する。複数のベルト通し２ｂは、上下の両端がそれぞれシャフト部本体２ａに固定されており、結果的に形成される左右方向の通し孔ＴＨにスカーフやハンカチ等を帯状にした装飾布地を挿通させることが可能となっている。
【００２３】
図２（Ａ）〜２（Ｄ）に示すように、留め具２０は、互いに隣接する一対の環状部分１０ａ，１０ｂを８の字状に配置した本体部分１０と、これら環状部分１０ａ，１０ｂが連結される接続部分１０ｃにおいてこの接続部分１０ｃに接合されて本体部分１０を支持する支持部材１１と、本体部分１０の接続部分１０ｃから一対の環状部分１０ａ，１０ｂの存在する面に沿ってそれぞれ外側に延びる一対のクリップ部１２ａ，１２ｂとを備える。図１（Ａ）及び１（Ｃ）に示すように、留め具２０は、取付け具３により、シャフト部２の外周のうち上方側部分の正面位置において着脱自在に取り付けられている。これにより、ブーツ５０に留め具２０が取り付けられた装着状態では、留め具２０の周辺に複数のベルト通し２ｂが配置されている状態となる。例えば図１（Ｂ）に示すように、留め具２０及び複数のベルト通し２ｂにスカーフやハンカチを通して結びつけることで、装飾品又は飾りとしてのリボンＲＢを簡易に着脱可能に取り付けることができる。
【００２４】
取付け具３は、図１（Ｃ）に示すシャフト部２の外周のうち上方側部分の正面位置に固定又は接着された第１の面ファスナー部３ａと、図２（Ｃ）及び２（Ｄ）に示す留め具２０の支持部材１１の裏面に固定又は接着された第２の面ファスナー部３ｂとを有し、両ファスナー部３ａ，３ｂが協働して留め具２０を着脱可能にしている。具体的には、例えば面ファスナー部３ａ，３ｂは、フック状に密集して起毛された面とループ状に密集して起毛された面とを有し、これらを押し付けて貼り付けたり、引き剥がしたりすることで、留め具２０が簡易に着脱される。このような面ファスナー部３ａ，３ｂを用いることにより、装飾品を取り付けないでブーツ５０を着用する場合に、留め具２０を取り外すことができ、シャフト部２をすっきりしたデザインにすることができる。
【００２５】
以下、図２（Ａ）〜２（Ｄ）等を参照して、留め具２０について詳しく説明する。留め具２０は、金属又はプラスチックによって形成され、支持部材１１を中心として略左右対称に一対の環状部分１０ａ，１０ｂ及びクリップ部１２ａ，１２ｂを配している。クリップ部１２ａ，１２ｂは、可撓性を有し、環状部分１０ａ，１０ｂの上方側の外縁Ｒａ，Ｒｂに沿って形成されている。また、図２（Ａ）に示すように、一方のクリップ部１２ａと他方のクリップ部１２ｂとは、平面視で約１１０°の角度をなしている。同様に、一方の環状部分１０ａと他方の環状部分１０ｂとは、平面視で約１１０°の角度をなしている。この結果、図２（Ｃ）に示すように、各環状部分１０ａ，１０ｂによって形成される通し孔ＩＳａ，ＩＳｂは、側面から見た場合にリボンＲＢ（図１（Ｂ）参照）を形成するスカーフ等の装飾布地を通すのに十分な空間を確保しており、また、リボンＲＢを下に向くことなく正面に向く状態に保つことができ、リボンＲＢを見栄えのするものにできる。
【００２６】
留め具２０のうち支持部材１１は、本体部分１０を支持する前側支持部材１１ａと、前側支持部材１１ａを支持する後側支持部材１１ｂと、前側支持部材１１ａと後側支持部材１１ｂとを連結する中間支持部材１１ｃとを有する。
【００２７】
前側支持部材１１ａは、本体部分１０をその接続部分１０ｃにおいて接着、ねじ止め等により支持している。後側支持部材１１ｂは、裏面に第２の面ファスナー部３ｂを有して図１（Ａ）等に示すブーツ５０に取付け可能になっており、中間支持部材１１ｃを介して前側支持部材１１ａを支持している。
【００２８】
支持部材１１は、図２（Ｃ）に示すように、前側支持部材１１ａ、後側支持部材１１ｂ及び中間支持部材１１ｃを合わせて側面視逆Ｕ字状の曲面形状を有することで、前側支持部材１１ａと後側支持部材１１ｂとの間に通し空間ＳＰを設けている。支持部材１１は、通し空間ＳＰを有することで、装飾品又は飾りとなるリボンＲＢの輪部Ｒｒ（図３（Ａ）参照）を通すのに十分な空間を確保している。なお、支持部材１１において、後側支持部材１１ｂの横幅は、前側支持部材１１ａの横幅よりも広くなっており、取付け具３による支持の安定を高めやすくなっている。
【００２９】
以下、図３（Ａ）等により、留め具２０を用いてリボンＲＢ等の装飾品をブーツ５０に装着するためのいくつかの方法について説明する。
【００３０】
まず、第１の方法として、図３（Ａ）の矢印ＡＷ１に示すようにリボンＲＢ等の装飾品を装着することができる。つまり、留め具２０が装着された状態のブーツ５０において、リボンＲＢの輪部Ｒｒを、シャフト部２の上端外周に設けた複数のベルト通し２ｂと、一対の環状部分１０ａ，１０ｂの通し孔ＩＳａ，ＩＳｂとにハンカチ、スカーフ等の装飾布地を通し、留め具２０の前で結びつける。この場合、リボンＲＢの輪部Ｒｒをシャフト部２の上端外周に巻き付けることになる。このように、留め具２０を使用してリボンＲＢを結ぶことで、固定のための固結び等をせず直接リボン結びをすることができる。従って、結び目を小さくすることもでき、装飾性の高いリボンＲＢをブーツ５０に取り付けることができる。また、留め具２０を使用してリボンＲＢを結ぶことで、リボンＲＢの型くずれを抑えることができ、長時間意図する形状を維持してほどけを防止することができる。
【００３１】
また、第２の方法として、図３（Ｂ）の矢印ＡＷ２に示すように装着することもできる。この方法では、留め具２０の周囲に隣接して形成されている一対のベルト通し２ｂによってリボンＲＢの輪部Ｒｒを支持することで、第１の方法とは異なる美感を有するリボンＲＢを形成できる。この場合、支持部材１１によって形成される通し空間ＳＰにリボンＲＢの結び目の裏側部分である輪部Ｒｒを通すことになる。
【００３２】
なお、図３（Ａ）に示す第１の方法については、シャフト部２を一周させるため比較的長さのあるスカーフ等の装飾布地によってリボンＲＢを形成するのに適している。一方、図３（Ｂ）に示す第２の方法については、比較的短いハンカチ等によってリボンＲＢを形成するのに適している。なお、装飾布地としてスカーフやハンカチといった既製品的なものを用いる場合、これらのスカーフやハンカチは、重ね折りに細長く畳んでベルト通し２ｂや環状部分１０ａ，１０ｂに通す。これにより、リボンＲＢの結び目や先端をきれいに整えることができる。
【００３３】
また、図４に示すように、ブーツ５０の側面にリボンＲＢ等の装飾品を装着することもできる。つまり、図１（Ｄ）に示すシャフト部２の側面位置に施した第１の面ファスナー部３ａを用いて留め具２０を装着することで、上記図３（Ｂ）の場合等と同様にベルト通し２ｂ等を利用してブーツ５０の側面にリボンＲＢを取り付けることができる。なお、図示の実施形態では、ベルト通し２ｂがシャフト部２の外周の上端側に適当な間隔で形成されているが、シャフト部２の中央や下部に一対のベルト通しを設け、この間に第１の面ファスナー部３ａを取り付けることによって、シャフト部２の中央や下部に設けた一対のベルト通し間に留め具２０を固定することができる。つまり、シャフト部２の側面の所望位置にリボンＲＢ等の装飾品を取り付けることができる。
【００３４】
以上のように、留め具２０だけでなくベルト通し２ｂを利用することで、ブーツ５０に対してリボンＲＢをより多様な態様で装着することができる。
【００３５】
以上の留め具２０は、一対の環状部分１０ａ，１０ｂのほかに、一対の環状部分１０ａ，１０ｂに沿って外側に延びる一対のクリップ部１２ａ，１２ｂを備えている。これにより、環状部分１０ａ，１０ｂの外縁Ｒａ，Ｒｂとクリップ部１２ａ，１２ｂとの間にリボンＲＢの端等を挟んで留めることができる。つまり、リボンＲＢの端（しっぽ）が長くなるときや、雨の日等の泥はねを避けたいとき、あるいは歩行性を重視したいとき等に、クリップ部１２ａ，１２ｂを利用できる。
【００３６】
また、留め具２０については、図５（Ａ）〜５（Ｃ）に示すように、様々なデザインを施すことができる。この場合、留め具２０自体をブーツ５０のアクセサリーとして使用できる。
【００３７】
留め具２０に装着されるリボンＲＢについては、図面では省略しているが、ブーツ５０を着用する人が着用しているスカーフ、マフラー、ショール、ベルト等と柄や、色彩、生地等を一致又は調和させた柄、色彩、生地等を有するものとする。これにより、ブーツ５０と、スカーフ、マフラー、ショール、ベルト等の他の装飾品とが調和してアンサンブルとなる。なお、リボンＲＢは、上述のようにハンカチやスカーフを用いる場合に限られるものではなく、ブーツ５０の専用品として特別に作製した装飾布地とすることができる。
【００３８】
装飾布地としてのリボンＲＢは、例えばスカーフ、マフラー、ショール、ベルト等とセットで販売される。つまり、ユーザーは、上記実施形態のようなブーツ５０を予め購入し、スカーフ、マフラー等を購入する際に、これとアンサンブルになっておりブーツ５０にリボンＲＢとして装着可能なハンカチ等の装飾布地を併せて購入することで、自己の嗜好を反映したアンサンブルの着こなしが随時可能になる。さらに、スカーフ、マフラー等とこれに合わせた装飾布地とを徐々に買い増すことで、着せ替え可能なブーツ５０をアクセントとして外出先等に合わせた様々なアンサンブルを楽しむこともできる。
【００３９】
以上のように、本実施形態のブーツ５０では、取付け具３によってシャフト部２の一部に留め具２０を固定しているので、留め具２０の一対の環状部分１０ａ，１０ｂに帯状のリボンＲＢを通して結ぶことにより、例えば帯状のリボン等である様々な種類の装飾品をシャフト部２の周辺に交換可能に飾り付けることができる。これにより、ブーツ５０の多様な履きこなしが可能になり、特に服装や外出場所等の状況に応じた個性的な装飾品を設定することができる。なお、留め具２０自体は、リボンＲＢの裏側に配置されるので、外側からは見えないあるいは目立たないようにすることができる。
【００４０】
〔第２実施形態〕
以下、第２実施形態に係るブーツについて説明する。本実施形態に係るブーツは、図１に示す第１実施形態のブーツ５０の変形例であり、留め具の構造を除き、特に説明のないものは第１実施形態と同様である。また、留め具以外についての図示を省略する。
【００４１】
図６に示す留め具１２０は、互いに隣接する一対の環状部分１０ａ，１０ｂを有する本体部分１１０と、本体部分１１０の環状部分１０ａ，１０ｂに接着され本体部分１１０を支持する支持部材１１とを備える。つまり、図２（Ａ）等に示す留め具２０と比較して一対のクリップ部を有さない構造である点が異なる。本実施形態の留め具１２０の場合、構造がよりシンプルなものとなり、リボン等の装飾品を取り付けた後の留め具１２０を、より目立たないものとすることができる。
【００４２】
〔第３実施形態〕
以下、第３実施形態に係るブーツについて説明する。本実施形態に係るブーツは、図１に示す第１実施形態のブーツ５０の変形例であり、留め具の構造を除き、特に説明のないものは第１実施形態と同様である。また、留め具以外についての図示を省略する。
【００４３】
図７（Ａ）及び７（Ｂ）に示す留め具２２０は、互いに隣接する一対の環状部分１０ａ，１０ｂを有する本体部分１０と、本体部分１０の環状部分１０ａ，１０ｂに接着され本体部分１０を支持する支持部材１１と、一対の環状部分１０ａ，１０ｂに沿ってそれぞれ外側に延びる一対のクリップ部２１２ａ，２１２ｂとを備える。ここで、一対のクリップ部２１２ａ，２１２ｂは、前方に突き出した構成となっている。この場合、クリップ部２１２ａ，２１２ｂと環状部分１０ａ，２０ｂとによる挟み口が前倒しした状態になるので、装飾品であるリボンＲＢの端をより挟みやすくなる。
【００４４】
〔第４実施形態〕
以下、第４実施形態に係るブーツについて説明する。本実施形態に係るブーツは、図１に示す第１実施形態のブーツ５０の変形例であり、留め具の構造を除き、特に説明のないものは第１実施形態と同様である。また、留め具以外についての図示を省略する。
【００４５】
図８に示す留め具３２０は、互いに隣接する一対の環状部分１０ａ，１０ｂを有する本体部分１０と、本体部分１０の環状部分１０ａ，１０ｂに接着され本体部分１０を支持する支持部材１１と、一対の環状部分１０ａ，１０ｂの上方側の外縁Ｒａ，Ｒｂに沿ってそれぞれ外側に延びる一対のクリップ部１２ａ，１２ｂと、一対の環状部分１０ａ，１０ｂの下方側の外縁Ｕａ，Ｕｂに沿ってそれぞれ外側に延びる一対のクリップ部３１２ａ，３１２ｂとを備える。この場合、装飾品であるリボンＲＢの端が特に長くなるときに、例えば、リボンＲＢの両端を、上方側のクリップ部１２ａ，１２ｂと下方側のクリップ部３１２ａ，３１２ｂとに分けて、挟んで留めることができる。
【００４６】
〔第５実施形態〕
以下、図９（Ａ）等を参照して、第５実施形態に係るブーツについて説明する。本実施形態に係るブーツは、図１に示す第１実施形態のブーツ５０の変形例であり、特に説明のないものは第１実施形態と同様である。
【００４７】
図９（Ａ）に示すブーツ４５０は、フット部１と、シャフト部２と、取付け具４０３とを備え、着脱可能な部分として留め具４２０（図９（Ｂ）等参照）を備える。
【００４８】
図９（Ｂ）及び９（Ｃ）に示すように、留め具４２０は、互いに隣接する一対の環状部分１０ａ，１０ｂを有する本体部分１０と、本体部分１０の環状部分１０ａ，１０ｂに接着され本体部分１０と一体化して留め具４２０全体を支持する支持部材４１１と、一対の環状部分１０ａ，１０ｂに沿ってそれぞれ外側に延びる一対のクリップ部１２ａ，１２ｂとを備える。支持部材４１１は、第１実施形態における支持部材４１１と同様の形状を有しており、前側支持部材４１１ａや後側支持部材４１１ｂを備える。前側支持部材４１１ａは、本体部分１０を固定によって支持しており、後側支持部材４１１ｂは、後述する取付け具４０３の保持部材４０３ａの差込孔ＰＡに差込可能となっている。
【００４９】
取付け具４０３は、シャフト部２の外周のうち上方の正面位置において左右の両端が固定され、中間に通過可能な差込孔ＰＡを有する帯状の保持部材４０３ａを有する。取付け具４０３の保持部材４０３ａは、留め具４２０に設けた支持部材４１１の後側支持部材４１１ｂを通すようになっている。つまり、留め具４２０は、本体部分１０と一体化した支持部材４１１を保持部材４０３ａの差込孔ＰＡに差し込むことでブーツ４５０に取付け可能となっている。この場合、留め具４２０を簡易にブーツ４５０に着脱可能にでき、リボンＲＢ等の装飾品を取り付けない場合のシャフト部２をすっきりしたデザインにすることができる。
【００５０】
〔第６実施形態〕
以下、図１０（Ａ）等を参照して、第６実施形態に係るブーツについて説明する。本実施形態に係るブーツは、図１に示す第１実施形態のブーツ５０の変形例であり、特に説明のないものは第１実施形態と同様である。
【００５１】
図１０（Ａ）に示すブーツ７５０は、留め具２０（図１（Ａ）等参照）を着脱可能にする取付け具７０３を備える。この取付け具７０３は、シャフト部２の外周に固定又は接着された第１の面ファスナー部３ａと、図２（Ｄ）等に示す留め具２０の支持部材１１の裏面に固定又は接着された第２の面ファスナー部３ｂと、第１の面ファスナー部３ａを覆うように固定される帯状の保持部材７０３ｃとを有する。保持部材７０３ｃは、図９（Ａ）に示す保持部材４０３ａと同様のものであるがひとまわり大きい。つまり、保持部材７０３ｃは、左右の両端が固定され、中間に通過可能な差込孔ＰＡを有する。保持部材７０３ａは、図１０（Ｂ）〜１０（Ｄ）に示すように、留め具２０の後側支持部材１１ｂを通すことができる。この際、保持部材７０３ａの差込孔ＰＡが比較的大きく形成されており、保持部材７０３ｃ内で後側支持部材１１ｂの姿勢（具体的には傾斜角度）を変更することができる。これにより、後側支持部材１１ｂすなわち留め具２０を正立させたり（図１０（Ｂ）参照）、後側支持部材１１ｂすなわち留め具２０を左側に傾斜させたり（図１０（Ｃ）参照）、後側支持部材１１ｂすなわち留め具２０を右側に傾斜させたり（図１０（Ｄ）参照）することができる。
【００５２】
図１０（Ｂ）〜１０（Ｄ）に示すように留め具２０の傾斜角度を変更することにより、留め具２０に通して結ばれたリボンＲＢの傾きを調節することができる。リボンＲＢは、留め具２０に対する結び付け方（例えば最初の重ね方、片リボン結び、両リボン結び等）によって様々な傾きが生じるので、留め具２０の傾斜角度を調整すれば、リボンＲＢを例えば真横に延びるように取り付けることができる。
【００５３】
なお、以上で説明した取付け具７０３は、ブーツ７５０の正面に限らず、ブーツ７５０の側面に設けることもできる。また、保持部材７０３ｃは、帯状に限らず下側が閉じたポケット状とすることもできる。
【００５４】
〔第７実施形態〕
以下、図１１（Ａ）等を参照して、第７実施形態に係るブーツについて説明する。本実施形態に係るブーツは、図１に示す第１実施形態のブーツ５０の変形例であり、特に説明のないものは第１実施形態と同様である。
【００５５】
図１１（Ａ）、１１（Ｂ）、１１（Ｄ）に示すブーツ５５０は、フット部１と、シャフト部２と、留め具２０と、取付け具３とを備える。シャフト部２のうちフット部１との境界側には、一対の反射型の装飾部６１，６１が埋め込むように取り付けられている。
【００５６】
図１１（Ｃ）に示すように、各装飾部６１は、ブラスチック、クリスタルガラス、水晶等の光透過性を有する材料で形成された基材６１ａの裏面に蛍光体や塗料を含有する反射体であるシール６１ｂを貼り付けたものであり、猫の目状の立体的な外観を有する。ここで、基材６１ａは、ドーム状又は円板状の外形を有しており、レンズ的な機能を持たせることができる。装飾部６１は、夜間でも光を反射するので、遠目にも目立ちやすくなっている。特にシール６１ｂとしてビーズ等を埋め込んだものを用いることで、より反射特性を高めることができる。
【００５７】
図１１（Ａ）等に示すように、ブーツ５５０には、メガネ状のカバー６３を取り付けることもできる。カバー６３は、プラスチック、ゴムその他の樹脂材料で形成されており、フレーム部６３ａとメガネガラス部６３ｂとを備える。特に、メガネガラス部６３ｂは、遮光性、透光性、反射性、散乱性の材料で形成することができ、装飾部６１を隠して目立たなくしたり、装飾部６１と強調して装飾部６１を目立たせたりすることができる。例えば、メガネガラス部６３ｂにレンズ性の材料を用いることで、夜間の反射をより鮮やかにすることができる。カバー６３は、その柄部分６３ｃにおいて、ホック、面ファスナー又はマグネットであるファスナー部６４ａを有し、シャフト部２も、対応する位置に、ホック又は面ファスナーであるファスナー部６４ｂを有する。これらのファスナー部６４ａ，６４ｂにより、カバー６３は、着脱自在かつ交換可能となっている。つまり、カバー６３を他の種類のカバーに交換することで、ブーツ５５０の着せ替えが可能になる。
〔その他〕
以上実施形態に即して本発明を説明したが、本発明は、上記の実施形態に限られるものではなく、その要旨を逸脱しない範囲において種々の態様において実施することが可能であり、例えば次のような変形も可能である。
【００５８】
まず、留め具２０等に取り付ける装飾品はリボンＲＢに限らず、ベルト状のものや、紐状・鎖状のもの等種々の態様を適用することができる。
【００５９】
また、リボンＲＢを形成するものとして、スカーフやハンカチ以外にも種々の布状や紙状のもの等を適用できる。なお、スカーフやハンカチは、リボン結びに限らず、様々な方法で留め具２０等に固定することができる。さらに、例えばシュシュ状の外観を有し紐状に延びる飾りの両端に連結具を設けて留め具２０等に固定することもできる。
【００６０】
また、留め具２０等は、単一の材料に限らず、樹脂と金属との複合材料から作製することができる。
【００６１】
留め具２０において、本体部分１０の環状部分１０ａ，１０ｂは、完全につながった環に限らず、一部が欠けた例えばＣ字状の環状体とすることができる。さらに、支持部材１１において、通し空間ＳＰを省略し、前側支持部材１１ａと後側支持部材１１ｂと一体化して支持部材１１を薄くすることもできる。さらに、クリップ部１２ａ，１２ｂの一方を省略するといったことも可能である。
【００６２】
留め具２０において、本体部分１０の環状部分１０ａ，１０ｂには、付属的なスリップ止めを取り付けることもできる。図１２に示すように、スリップ止め１５は、例えば環状部分１０ａ，１０ｂに沿って内側に環状に取り付けられるゴム製のリングである。このようなスリップ止め１５は、リボンＲＢの布地が滑らかである場合に、リボンＲＢを解けにくくする。なお、スリップ止め１５は、図示のように環状のものに限らず、その内側に中央に向けて延びる複数のひだ状の部分を付加したものとすることもできる。
【００６３】
取付け具３は、面ファスナー部３ａ，３ｂに限らず、着脱可能な様々なファスナーを用いることができ、これらを例えばボタンホック、磁石（マグネット）等に置き換えることができる。
【００６４】
シャフト部２に設けたベルト通し２ｂは、必須のものではなく省略することができるが、ベルト通し２ｂを省略した場合、取付け具３による留め具２０の取付強度をある程度大きくする必要がある。
【００６５】
以上では、ブーツ５５０のフット部１やシャフト部２の表面に付する柄や色について説明しなかったが、これらの表面には、様々な装飾を施すことができる。さらに、ブーツ５５０のシャフト部２等の形状も図示のものに限らず、深さ、ヒールの高さを適宜設定することができ、網ひもを設けることができ、バックル等の各種装飾品を付加することができる。
【００６６】
ブーツ５０に装着するリボンＲＢ等の装飾品は、スカーフ、マフラー、ショール、ベルト等に限らず、ユーザーが羽織る上着、帽子、バッグ等についてのアンサンブルとすることができる。
【００６７】
ブーツ５０に装着するリボンＲＢ等の装飾品は、スカーフ、マフラー、ショール、ベルト等の他の装飾品との関係で単に柄や色等を一致させる場合に限らず、異なる柄であっても色調等の外観的な要素を調和させる場合も含むものとする。
【符号の説明】
【００６８】
１…フット部、  １ｂ…底部、  １ｃ…ヒール部、  ２…シャフト部、  ３，４０３…取付け具、  ３ａ，３ｂ…面ファスナー部、  １０，１１０，１０…本体部分、  １０ａ，１０ｂ…環状部分、  １０ｃ…接続部分、  １１，４１１…支持部材、  １１ａ…前側支持部材、  １１ｂ…後側支持部材、  １２ａ，１２ｂ…クリップ部、  ２０，１２０，３２０，４２０…留め具、  ５０，４５０，５５０…ブーツ、  ６１…装飾部、  ６３…カバー、  ６３ａ…フレーム部、  ６３ｂ…メガネガラス部、  ６３ｃ…柄部分、  ６４ａ，６４ｂ…ファスナー部、  ４０３ａ…保持部材、  ＩＳａ，ＩＳｂ…通し孔、  ＲＢ…リボン、  ＳＰ…空間
【図１】
0005710173.tif 000002
【図２】
0005710173.tif 000003
【図３】
0005710173.tif 000004
【図４】
0005710173.tif 000005
【図５】
0005710173.tif 000006
【図６】
0005710173.tif 000007
【図７】
0005710173.tif 000008
【図８】
0005710173.tif 000009
【図９】
0005710173.tif 000010
【図１０】
0005710173.tif 000011
【図１１】
0005710173.tif 000012
【図１２】
0005710173.tif 000013